(57)【要約】  本発明は、スキャナー機能が追加されたＸ−線断層撮影装置に関し、１つの装備において小型物体を高解像度で撮影するマイクロＣＴ撮影と患者の身体の一部を撮影する一般ＣＴ撮影の全てを行うことができるようにすることに、その目的がある。  このため、本発明は、垂直フレーム２６と、前記垂直フレーム２６の下部に備えられる患者支持アーム３０と、前記垂直フレーム２６の上部から水平方向に延びる水平支持アーム２５と、前記水平支持アーム２５の端部に備えられる回転アーム駆動部２４と、前記回転アーム駆動部２４の下部に水平に備えられ３６０度回転する水平回転アーム２３と、前記水平回転アーム２３の一端に備えられる一般ＣＴ撮影用Ｘ−線源２０と、前記水平回転アーム２３の他端から前記一般ＣＴ撮影用Ｘ−線源２０と対向するように備えられるＸ−線ディテクタを含むことからなるＸ−線断層撮影装置において、前記垂直フレーム２６上に、マイクロＣＴ撮影用Ｘ−線源２７がさらに備えられ、  前記患者支持アーム３０の上部に、撮影しようとする物体を安着させ回転させるための回転テーブル２８がさらに備えられ、前記Ｘ−線ディテクタは、Ｘ−線ディテクタ駆動部２２によって回転ができる共用Ｘ−線ディテクタ２１で構成されて、１つの装備からマイクロＣＴ撮影と一般ＣＴ撮影の全てを実行できるようにすることを特徴とする。【選択図】  図３
2020528294.tif 000002
【特許請求の範囲】
【請求項１】
垂直フレーム（２６）と、前記垂直フレーム（２６）の下部に備えられる患者支持アーム（３０）と、前記垂直フレーム（２６）の上部から水平方向に延びる水平支持アーム（２５）と、前記水平支持アーム（２５）の端部に備えられる回転アーム駆動部（２４）と、前記回転アーム駆動部（２４）の下部に水平に備えられて３６０度回転する水平回転アーム（２３）と、前記水平回転アーム（２３）の一端に備えられる一般ＣＴ撮影用Ｘ−線源（２０）と、前記水平回転アーム（２３）の他端から前記一般ＣＴ撮影用Ｘ−線源（２０）と対向するように備えるＸ−線ディテクタを含むことからなるＸ−線断層撮影装置において、前記垂直フレーム（２６）上に、マイクロＣＴ撮影用Ｘ−線源（２７）がさらに備えられ、
前記患者支持アーム（３０）の上部に、撮影しようとする物体を安着させて回転させるための回転テーブル（２８）がさらに備えられ、
前記Ｘ−線ディテクタは、Ｘ−線ディテクタ駆動部（２２）によって回転可能する共用Ｘ−線ディテクタ（２１）で構成され、１つの装備からマイクロＣＴ撮影と一般ＣＴ撮影の全てを実行できるようにすることを特徴とするスキャナー機能が追加されたＸ−線断層撮影装置。
【請求項２】
前記回転テーブル（２８）の下部に、前記回転テーブル（２８）を回転させるための回転テーブル駆動部（２９）が備えられることを特徴とする請求項１に記載のスキャナー機能が追加されたＸ−線断層撮影装置。
【請求項３】
前記回転テーブル駆動部（２９）は、患者支持アーム（３０）の上部に備えられたレールに沿って移動可能であるように備えられることを特徴とする請求項２に記載のスキャナー機能が追加されたＸ−線断層撮影装置。
【請求項４】
前記回転テーブル（２８）または回転テーブル駆動部（２９）は、患者支持アーム（３０）の上面に着脱可能に備えられることを特徴とする請求項２に記載のスキャナー機能が追加されたＸ−線断層撮影装置。
【請求項５】
前記マイクロＣＴ撮影用Ｘ−線源（２７）は、上下に移動可能である、同時に水平方向に一定角度回動可能するように備えられることを特徴とする請求項１に記載のスキャナー機能が追加されたＸ−線断層撮影装置。
【請求項６】
マイクロＣＴ撮影を行う際には、マイクロＣＴ撮影用Ｘ−線源（２７）と共用Ｘ−線ディテクタ（２１）を一定の角度に回動させ、
前記マイクロＣＴ撮影用Ｘ−線源（２７）と回転テーブル（２８）の中心が一直線上に位置するようにした後、前記マイクロＣＴ撮影用Ｘ−線源（２７）と共用Ｘ−線ディテクタ（２８）が互いに対向するようにした状態で撮影することを特徴とする請求項１に記載のスキャナー機能が追加されたＸ−線断層撮影装置。
【請求項７】
前記垂直フレーム（１０）に、互いに異なる焦点を有するＸ−線を放射してマイクロＣＴ撮影をする第１Ｘ−線源（３４）と第２Ｘ−線源（３５）がそれぞれ備えられることを特徴とする請求項１に記載のスキャナー機能が追加されたＸ−線断層撮影装置。
【請求項８】
垂直フレーム（２６）と、前記垂直フレーム（２６）の下部に備えられる患者支持アーム（３０）と、前記垂直フレーム（２６）の上部から水平方向に延びる水平支持アーム（２５）と、前記水平支持アーム（２５）の端部に備えられる回転アーム駆動部（２４）と、前記回転アーム駆動部（２４）の下部に水平に備えられ３６０度回転する水平回転アーム（２３）と、前記水平回転アーム（２３）の一端に備えられるＸ−線源と、前記水平回転アーム（２３）の他端で前記Ｘ−線源と対向するように備えるＸ−線ディテクタを含みからなるＸ−線断層撮影装置において、
前記Ｘ−線源は、１つのチューブからマイクロＣＴ撮影用Ｘ−線と一般ＣＴ撮影用Ｘ−線を全て放射することができるデュアルフォーカスタイプＸ−線源（３６）で構成され、１つの装備からマイクロＣＴ撮影と一般ＣＴ撮影の全てを実行できるようにすることを特徴とするスキャナー機能が追加されたＸ−線断層撮影装置。
【請求項９】
前記回転テーブル（２８）の下部に、前記回転テーブル（２８）を回転させるための回転テーブル駆動部（２９）が備えられることを特徴とする請求項８に記載のスキャナー機能が追加されたＸ−線断層撮影装置。
【請求項１０】
前記回転テーブル駆動部（２９）は、患者支持アーム（３０）の上部に備えられたレールに沿って移動可能であるように備えられることを特徴とする請求項８に記載のスキャナー機能が追加されたＸ−線断層撮影装置。
【請求項１１】
前記回転テーブル（２８）または回転テーブル駆動部（２９）は、患者支持アーム（３０）の上面に着脱可能に備えられることを特徴とする請求項８に記載のスキャナー機能が追加されたＸ−線断層撮影装置。
【発明の詳細な説明】
【技術分野】
【０００１】
本発明は、病院などで使用されるＸ−線（Ｘ−ray）断層撮影装置に関し、さらに詳細には、１つの装備から印象体やモデルなどを高解像度で撮影するマイクロＣＴ撮影と体の一部を撮影する一般ＣＴ撮影の全てを行うことができるようにしたスキャナー機能が追加されたＸ−線断層撮影装置に関する。
【背景技術】
【０００２】
コンピュータ断層撮影装備（以下、単に「ＣＴ」と称する）には、小型の物体を高解像度で撮影するための「マイクロＣＴ」と、患者の体の一部を撮影するＣＴ（以下、前記マイクロＣＴと区別するために「一般ＣＴ」と称する）がある。
【０００３】
前記「マイクロＣＴ」は、例えば印象体やモデルなどのような小型の物体を高解像度で撮影する目的で使用され、前記「一般ＣＴ」は、患者の体の一部、例えば、患者の口腔または頭部全体を撮影する目的で使用される。
【０００４】
図１は、前記した「マイクロＣＴ」を、図２は、「一般ＣＴ」の構造を概略的に示したものである。
【０００５】
まず、前記マイクロＣＴは、図１に示すように、Ｘ−線を発生させるマイクロＣＴ用Ｘ−線源（Source）１と、前記Ｘ−線源１から放射されたＸ−線の透過値を検出するために、前記Ｘ−線源１と対向するように設置されるＸ−線ディテクタ（Detector）２を含む。
【０００６】
前記マイクロＣＴ用Ｘ−線源１とマイクロＣＴ用Ｘ−線ディテクタ２の間には、撮影しようとする物体を安着させ回転させるための回転テーブル３を備えている。
【０００７】
前記マイクロＣＴ用Ｘ−線源１、回転テーブル３及びマイクロＣＴ用Ｘ-線ディテクタ２は、一直線上に配置される。
【０００８】
図１に示されたマイクロＣＴにおいては、撮影しようとする物体を回転テーブル３の上に安着させ、回転テーブル３を回転させながら、マイクロＣＴ用Ｘ−線源１からＸ−線を放射し、マイクロＣＴ用Ｘ−線ディテクタ２で透過値を検出する。
【０００９】
一般的にＸ−線は、Ｘ−線源のチューブの内部に備えられたカソード（Cathode）（フィラメントが使用されることもある）とアノード（Anode）との間に高電圧を印加して、前記アノードから放出された電子を加速した後、この電子をターゲット（Target）のアノードに衝突させることによって生成される。
【００１０】
前記したマイクロＣＴは、患者の身体を撮影するためのものではなく、印象体やモデルなどの小型の物体を高解像度で撮影するために使用される。
【００１１】
一方、図２は、患者の身体、例えば患者の口腔または頭部位を撮影するための一般ＣＴを概略的に示したものである。
【００１２】
患者の口腔または頭部全体を撮影するための一般ＣＴは、図２に示すように、一般ＣＴ用Ｘ-線源４と、前記一般ＣＴ用Ｘ-線源４から放射されたＸ−線の透過値を検出するための一般ＣＴ用Ｘ−線ディテクタ５を、水平回転アーム６によって互いに対向するように備える。
【００１３】
前記水平回転アーム６は、その上部に備えられた回転アーム駆動部７によって駆動され、回転アーム駆動部７によって前後左右方向の移動及び回転が可能となるように備えられる。
【００１４】
前記水平回転アーム６の上部には、水平支持アーム８が備えられており、前記水平支持アーム８は、垂直フレーム１０と接続されている。
【００１５】
また、前記水平回転アーム６の下部には、患者の頭部を支持するための顎支持部９が備えられている。
【００１６】
前記した一般ＣＴで撮影をするためには、患者の頭部を前記顎支持部９に支持した状態で、前記水平回転アーム６を回転させる。
【００１７】
そこでは、前記一般ＣＴ用Ｘ-線源４と一般ＣＴ用Ｘ−線ディテクタ５が患者の頭の周囲を３６０度回転しながらＣＴ撮影が行われる。
【００１８】
前記一般ＣＴ用Ｘ−線ディテクタ５においては、Ｘ−線の透過値を検出し、このようにして収集されたアナログ信号は、デジタル信号に変換され、この信号をコンピュータで演算処理し、３次元映像を獲得する。
【００１９】
このように得られた映像情報は、口腔または頭部全体の病気の診断または模擬手術をするために使用される。
【００２０】
前記の一般ＣＴは、小型の物体を撮影するためのマイクロＣＴとは異なり、患者の身体の一部、例えば、口腔または頭部位を撮影するのに使用されている。
【００２１】
ところで、歯科などにおいては、印象体やモデルの３次元データを高解像度で獲得する必要がある。
【００２２】
これにより、一般ＣＴとマイクロＣＴ、または一般ＣＴと高解像度の３次元スキャナーをすべて備える必要が生じるため、購入費用が増加することになり装備の設置スペースが広くなる問題がある。
【発明の概要】
【発明が解決しようとする課題】
【００２３】
本発明は、前記した従来技術の問題点を解決するためのものであり、１つの装備で小型の物体を高解像度で撮影する「マイクロＣＴ撮影」と患者の身体の一部を撮影する「一般ＣＴ撮影」のすべてを実行できるようにすることに、その目的がある。
【００２４】
本発明の他の目的は、１つの装備からマイクロＣＴ撮影と一般ＣＴ撮影がすべてできるようにすることで、装備の購入コストを削減し、設置スペースを削減できるようにすることにある。
【００２５】
本発明のまた他の目的は、コストを多く増加させなくとも、マイクロＣＴ撮影と一般ＣＴ撮影がすべて可能な装備を製造することができるようにすることにある。
【課題を解決するための手段】
【００２６】
前記の目的を達成するための本発明の第１実施例には、垂直フレームと、前記垂直フレームの下部に備えられる患者支持アームと、前記垂直フレームの上部から水平方向に延びる水平支持アームと、前記水平支持アームの端部に備えられる回転アーム駆動部と、前記回転アーム駆動部の下部に水平に備えられて３６０度回転する水平回転アームと、前記水平回転アームの一端に備えられる一般ＣＴ撮影用Ｘ-線源と、前記水平回転アームの他端で前記一般ＣＴ撮影用Ｘ−線源と対向するように備えられるＸ−線ディテクタを含むことからなるＸ−線断層撮影装置において、前記垂直フレーム上にマイクロＣＴ撮影用Ｘ-線源をさらに備え、前記患者支持アームの上部に、撮影しようとする物体を安着させ回転させるための回転テーブルがさらに備えられ、前記Ｘ−線ディテクタは、Ｘ−線ディテクタ駆動部によって回転が可能な共用Ｘ−線ディテクタで構成されて、１つの装備からマイクロＣＴ撮影と一般ＣＴ撮影のすべてを実行できるようにすることを特徴とする。
【００２７】
また、前記回転テーブルの下部に、前記回転テーブルを回転させるための回転テーブル駆動部が備えられることを特徴とする。
【００２８】
また、前記回転テーブル駆動部は、患者支持アームの上部に備えられたレールに沿って移動が可能であるように備えられることを特徴とする。
【００２９】
また、前記回転テーブルまたは回転テーブル駆動部は、患者支持アームの上面に着脱可能に備えられることを特徴とする。
【００３０】
また、前記マイクロＣＴ撮影用Ｘ-線源は、上下に移動が可能であると同時に水平方向に一定角度回動が可能であるように備えられることを特徴とする。
【００３１】
また、マイクロＣＴ撮影を行う際には、前記マイクロＣＴ撮影用Ｘ−線源と回転テーブルの中心が一直線上に位置するようにした後、前記回転テーブルと共用Ｘ−線ディテクタが互いに対向するようにした状態で撮影することを特徴とする。
【００３２】
また、本発明の第２実施例においては、前記垂直フレームに、互いに異なる焦点を有するＸ−線を放射してマイクロＣＴ撮影をする第１Ｘ−線源と第２Ｘ−線源がそれぞれ備えられることを特徴とする。
【００３３】
また、本発明の第３実施例は、垂直フレームと、前記垂直フレームの下部に備える患者支持アームと、前記垂直フレームの上部から水平方向に延長される水平支持アームと、前記水平支持アームの端部に備えられる回転アーム駆動部と、前記回転アーム駆動部の下部に水平に備えられ３６０度回転する水平回転アームと、前記水平回転アームの一端に備えられる一般ＣＴ撮影用Ｘ−線源と、前記水平回転アームの他端で前記一般ＣＴ撮影用Ｘ−線源と対向するように備えるＸ−線ディテクタを含むことからなるＸ−線断層撮影装置において、前記Ｘ−線源が、１つのチューブからマイクロＣＴ撮影用Ｘ−線と一般ＣＴ撮影用Ｘ−線をすべて放射することができるデュアルフォーカスタイプＸ−線源からなり、1つの装備からマイクロＣＴ撮影と一般ＣＴ撮影の全てを実行できるようにすることを特徴とする。
【発明の効果】
【００３４】
本発明に係れば、１つの装備から小型の物体を高解像度で撮影する「マイクロＣＴ撮影」と患者の身体の一部を撮影する「一般ＣＴ撮影」の全てを実行することができる効果がある。
【００３５】
また、１つの装備からマイクロＣＴ撮影と一般ＣＴ撮影がすべて可能になるので、装備の購入コストを削減することができ、 装備の設置スペースを減らすことができる効果がある。
【００３６】
また、１つのＸ−線ディテクタでマイクロＣＴ撮影と一般ＣＴ撮影の全てを実行することができるので、比較的低コストで２つの機能を実行することができる装備を製造することができる効果がある。
【図面の簡単な説明】
【００３７】
【図１】従来のマイクロＣＴ装備を概略的に示した斜視図。
【図２】従来の一般ＣＴ装備を概略的に示した斜視図。
【図３】本発明の第１実施例に係るＣＴ装備を概略的に示した斜視図。
【図４】本発明の第１実施例においてマイクロＣＴ撮影をする場合を説明するための平面図。
【図５】本発明の第１実施例において一般ＣＴ撮影をする場合を説明するための平面図。
【図６】本発明の第２実施例に係るＣＴ装備を概略的に示した斜視図。
【図７】本発明の第３実施例に係るＣＴ装備を概略的に示した斜視図。
【図８】本発明の第３実施例において、マイクロＣＴ撮影をする場合を説明するための平面図。
【図９】本発明の第３実施例において一般ＣＴ撮影をする場合を説明するための平面図。
【発明を実施するための形態】
【００３８】
以下、添付された図面を参照して、本発明の好ましい実施例を詳細に説明する。
【実施例１】
【００３９】
図３〜図５は、本発明の第１実施例を示すものである。
【００４０】
本発明の第１実施例に係るスキャナー機能が追加されたＸ−線断層撮影装置は、図３に示すように、垂直フレーム２６と、前記垂直フレーム２６の下部に備えられる患者支持アーム３０と、前記垂直フレーム２６の上部から水平方向に延びる水平支持アーム２５と、前記水平支持アーム２５の端部に備えられる回転アーム駆動部２４と、前記回転アーム駆動部２４の下部に水平に備えられて３６０度回転する水平回転アーム２３と、前記水平回転アーム２３の一端に備えられる一般ＣＴ撮影用Ｘ−線源２０と、前記水平回転アーム２３の他端から前記一般ＣＴ撮影用Ｘ−線源２０と対向するように備えられるＸ−線ディテクタを含むことからなるＸ−線断層撮影装置において、前記垂直フレーム２６上にマイクロＣＴ撮影用Ｘ−線源２７がさらに備えられ、前記患者支持アーム３０の上部に、撮影しようとする物体を安着させ回転させるための回転テーブル２８がさらに備えられ、前記Ｘ−線ディテクタは、Ｘ−線ディテクタ駆動部２２によって回転が可能な共用Ｘ−線ディテクタ２１で構成される。
【００４１】
すなわち、本発明は、１つの装備に、マイクロＣＴ撮影用Ｘ−線源２７と、一般ＣＴ撮影用Ｘ−線源２０の全てが備えられている。
【００４２】
前記の構造により、１つの装備から印象体やモデルなどの物体を高解像度で撮影するマイクロＣＴ撮影と患者の身体の一部を撮影する一般ＣＴ撮影の全てを行うことができる。
【００４３】
また、価格が高価であるＸ−線ディテクタを１つだけ備えても、マイクロＣＴ撮影と一般ＣＴ撮影の全てを行うことができるので、コストを多く増加させなくとも装備を製造することができる。
【００４４】
また、撮影しようとする物体が安着される回転テーブル２８の下部には、前記回転テーブル２８を回転させるための回転テーブル駆動部２９が備えられる。
【００４５】
前記回転テーブル２８と回転テーブル駆動部２９は、固定型で設置されることもでき、マイクロＣＴ撮影時拡大率を変更させるためにレールに沿って移動可能であるように構成されることができる。
【００４６】
また、前記回転テーブル２８は、回転テーブル駆動部２９の上面に着脱可能に備えられることができる。
【００４７】
また、前記回転テーブル２８が回転テーブル駆動部２９の上面に固定され、回転テーブル駆動部２９が患者支持アーム３０の上面に着脱可能に備えられることもできる。
【００４８】
また、前記マイクロＣＴ撮影用Ｘ−線源２７は、上下に移動可能であると同時に水平方向に一定角度回動可能であるように備えられる。
【００４９】
前記の構造により、マイクロＣＴ撮影用Ｘ−線源２７の位置を調節しながら、マイクロＣＴ撮影を行うことができる。
【００５０】
以下、本発明の第１実施例に係るＣＴ装備でマイクロＣＴ撮影と一般ＣＴ撮影をする過程を説明する。
【００５１】
まず、マイクロＣＴ撮影を行う際には、図４に示すように、撮影しようとする物体を回転テーブル２８に安着させる。
【００５２】
続いて水平回転アーム２３の一端に備えられている共用Ｘ−線ディテクタ２１を回動させ、前記マイクロＣＴ撮影用Ｘ−線源２７を整列させる。
【００５３】
すなわち回転アーム駆動部２４によって水平回転アーム２３を回転させ、Ｘ−線ディテクタ駆動部２２によって共用Ｘ−線ディテクタ２１を回転させる。
【００５４】
この時、前記マイクロＣＴ撮影用Ｘ−線源２７と回転テーブル２８の中心を一致させ、前記Ｘ−線源２７と共用Ｘ−線ディテクタ２１が互いに対向するようにする。
【００５５】
図４において図面符号３２は、マイクロＣＴ撮影時のＸ−線中心軸を示したものである。
【００５６】
続いて、前記回転テーブル２８を回転させながら、前記マイクロＣＴ撮影用Ｘ−線源２７からＸ−線を放射する。
【００５７】
そうすると、共用Ｘ−線ディテクタ２１は、物体を通過したＸ−線を検出してこれをコンピュータに転送する。
【００５８】
続いて、本発明の第１実施例に係るＣＴ装備において、一般ＣＴ撮影をするプロセスを説明する。
【００５９】
一般ＣＴ撮影を行う場合には、患者の体の一部を患者支持アーム３０に位置させた後、図５に示すように、一般ＣＴ撮影用Ｘ−線源２０と共用Ｘ−線ディテクタ２１が互いに対向するようにする。
【００６０】
図５において図面符号３３は、一般ＣＴ撮影時のＸ−線中心軸を示す。
【００６１】
この状態で、前記水平回転アーム２３を患者の頭の周りに回転させながら、一般ＣＴ撮影用Ｘ−線源２０からＸ−線を放射する。
【００６２】
そうすると、共用Ｘ−線ディテクタ２１は、人体の一部を透過したＸ−線を検出してこれをコンピュータに転送する。
【００６３】
本発明によれば、１つの装備からマイクロＣＴ撮影と一般ＣＴ撮影の全てを行うことができる。
【００６４】
特に高価の装備であるＸ−線ディテクタを１つだけ使用しながら、マイクロＣＴ撮影と一般ＣＴ撮影の全てを行うことができるので、比較的安価に装備を製造することができる。
【００６５】
また、１つの装備にマイクロＣＴ撮影と一般ＣＴ撮影の全てを行うことができるので、装備の購入コストを削減することができ、スペースの活用度を増大させることができる。
【実施例２】
【００６６】
図６は、本発明の第２実施例を図示したものである。
【００６７】
本発明の第２実施例に係るＸ−線ＣＴ装備は、前記した第１実施例でマイクロＣＴ撮影用Ｘ−線源を２つ備えたものである。
【００６８】
すなわち、図６に示すように、前記した第１実施例の垂直フレーム１０に、互いに異なる焦点を有するＸ−線を放射してマイクロＣＴ撮影をする第１Ｘ−線源３４と第２Ｘ−線源３５を備える。
【００６９】
本発明の第２実施例に係れば、様々な物体のマイクロＣＴ撮影を行うことができる利点がある。
【００７０】
それ以外の事項は、前記した第１実施例の場合と同様であるので、重複した説明は、省略する。
【実施例３】
【００７１】
図７〜図９は、本発明の第３実施例を示したものである。
【００７２】
本発明の第３実施例に係るＣＴ装備は、図７に示すように、垂直フレーム２６と、前記垂直フレーム２６の下部に備えられる患者支持アーム３０と、前記垂直フレーム２６の上部から水平方向に延びる水平支持アーム２５と、前記水平支持アーム２５の端部に備えられる回転アーム駆動部２４と、前記回転アーム駆動部２４の下部に水平に備えられ、３６０度回転する水平回転アーム２３と、前記水平回転アーム２３の一端に備えられるＸ−線源と、前記水平回転アーム２３の他端で前記Ｘ−線源と対向するように備えるＸ−線ディテクタを含みからなるＸ−線断層撮影装置において、前記Ｘ−線源が、１つのチューブからマイクロＣＴ撮影用Ｘ−線と一般ＣＴ撮影用Ｘ−線の全てを放射することができるデュアルフォーカスタイプＸ−線源３６からなる。
【００７３】
すなわち、前記デュアルフォーカスタイプＸ−線源３６は、Ｘ−線チューブ内に互いに異なる焦点を有するＸ−線を放射することができる２つのＸ−線源を備えている。
【００７４】
本発明の第３実施例に係れば、１つのＸ−線チューブと１つのＸ−線ディテクタのみを使用して、マイクロＣＴと一般ＣＴの全てを撮影することができる。
【００７５】
まず、マイクロＣＴを撮影するときには、図８に示すように、回転アーム駆動部２４で水平回転アーム２３を回転させ、水平支持アーム２５を前後左右に移動させ、水平回転アーム２３の一端に備えられたデュアルフォーカスタイプＸ−線源３６と回転テーブル２８の中心を一致させる。
【００７６】
そしてデュアルフォーカスタイプＸ−線源３６と共用Ｘ−線ディテクタ２１が互いに対向するようにする。
【００７７】
この時、前記水平回転アーム２３を前後左右に移動させて拡大率を調整することもできる。
【００７８】
また、前記回転テーブル２８をＸ−線中心軸に沿って前後左右に移動させ拡大率を調整することもできる。
【００７９】
図８において符号３２は、マイクロＣＴ撮影をするときＸ−線中心軸を示す。
【００８０】
続いて、回転テーブル駆動部２９で前記回転テーブル２８を回転させながら、前記デュアルフォーカスタイプＸ−線源３６からマイクロＣＴ撮影用Ｘ−線を放射する。
【００８１】
そうすると、共用Ｘ−線ディテクタ２１においては、物体を透過したＸ−線を検出し、これをコンピュータに転送する。
【００８２】
そして一般ＣＴを撮影するときには、図９に示すように、回転アーム駆動部２４を前後左右に動かして回転アーム駆動部２４の中心が撮影しようとする患者の身体部位の中心と一致するようにする。
【００８３】
図９において図面符号３３は、一般ＣＴ撮影をするときＸ−線中心軸を示したものである。
【００８４】
この状態において、患者支持アーム３０の顎固定部に患者の頭部が位置するようにする。
【００８５】
次に、前記水平回転アーム２３が患者の頭の周りを３６０度回転するようにしつつ、前記デュアルＸ−線源３６から一般ＣＴ撮影用Ｘ−線が放射されるようにする。
【００８６】
そうすると、共用Ｘ−線ディテクタ２１においては、人体の一部を透過したＸ−線を検出し、これをコンピュータに転送する。
【００８７】
それ以外の事項は、前記した第１実施例の場合と同様である。
【００８８】
以上では、本発明の好適な実施例を例示的に説明したものであり、本発明は、前記した実施例に限定されない。本発明が属する技術分野において通常の知識を有する者であれば、本発明の技術的思想の範囲を逸脱しない範囲内で多様な変形及び修正が可能であることを理解できる。
【図１】
2020528294.tif 000003
【図２】
2020528294.tif 000004
【図３】
2020528294.tif 000005
【図４】
2020528294.tif 000006
【図５】
2020528294.tif 000007
【図６】
2020528294.tif 000008
【図７】
2020528294.tif 000009
【図８】
2020528294.tif 000010
【図９】
2020528294.tif 000011
【国際調査報告】
2020528294.tif 000012
2020528294.tif 000013
2020528294.tif 000014
2020528294.tif 000015